(57)【要約】【課題】調光点灯時にもフィラメント電流を適正な範囲で設定可能とすることでランプの長寿命化を図る。【解決手段】放電灯５に直列に接続される第１のインダクタＬ１と放電灯５に並列に接続される第１のコンデンサＣ１による共振条件で発生する高電圧を放電灯５のフィラメントＦ１，Ｆ２間に印加する高電圧発生部を備えた放電灯点灯装置において、前記高周波電源の出力端に接続される変圧器Ｔｒを設け、前記変圧器Ｔｒの二次側巻線と放電灯５の各フィラメントＦ１，Ｆ２間に接続される第２のインダクタＬａ，Ｌｂおよび第２のコンデンサＣａ，Ｃｂからなるフィラメント予熱回路７ａ，７ｂを設けた。【選択図】図１
2005050754.tif 000002
【特許請求の範囲】
【請求項１】
高周波電源と、前記高周波電源の出力電圧が供給される放電灯と、前記放電灯に直列に接続される第１のインダクタと前記放電灯に並列に接続される第１のコンデンサによる共振条件で発生する高電圧を放電灯のフィラメント間に印加する高電圧発生部とを備えた放電灯点灯装置において、前記高周波電源の出力端に接続される変圧器を設け、前記変圧器の二次側巻線と放電灯の各フィラメント間に接続される第２のインダクタおよび第２のコンデンサからなるフィラメント予熱回路を有することを特徴とする放電灯点灯装置。
【請求項２】
前記変圧器の二次側から低電圧を前記フィラメント予熱回路に供給すると共に、前記フィラメント予熱回路に流れるフィラメント電流を前記変圧器の二次側電圧に対して進み位相に設定したことを特徴とする請求項１に記載の放電灯点灯装置。
【請求項３】
前記フィラメント予熱回路の限流インピーダンスとして、各フィラメントに接続された複数のインダクタを一体成形したことを特徴とする請求項１又は２に記載の放電灯点灯装置。
【請求項４】
一体成形された複数のインダクタの巻数を、互いの巻線から誘起する電圧を含めて所望のインダクタンス値が得られるように設定したことを特徴とする請求項３に記載の放電灯点灯装置。
【請求項５】
放電灯は、管外形が２５．５ｍｍ以下の細管であることを特徴とする請求項１〜４のいずれかに記載の放電灯点灯装置。
【発明の詳細な説明】
【技術分野】
【０００１】
本発明は、ランプ寿命を長くさせるために必要なランプ毎で異なる適正なフィラメントの予熱電流を設定できる放電灯点灯装置に関するものである。
【背景技術】
【０００２】
商用交流電圧を整流平滑して直流電圧に変換し、この直流電圧をスイッチング回路で高周波電圧に変換し、この高周波電圧を、ＬＣ共振回路を備えた放電灯に供給する放電灯点灯装置が知られている。図３はこのような放電灯点灯装置を示す回路図である。図３の回路では、交流電源１の電圧を整流回路２で整流し、その整流電圧をインダクタ３と平滑用コンデンサ４からなる平滑回路で平滑して、平滑コンデンサ４の両端から直流電圧を出力するように構成されている。
【０００３】
平滑コンデンサ４の両端の端子ｓ、ｔには、制御回路６で形成される制御信号Ｓａ，Ｓｂにより交互にオン・オフ動作するスイッチング素子Ｑ１及びＱ２が直列に接続されて、直流電圧を高周波電圧に変換するスイッチング回路が形成されている。このスイッチング回路は、スイッチング素子Ｑ１及びＱ２からなるハーフブリッジのインバータとして機能している。
【０００４】
平滑コンデンサ４の一方の端子ｔと、スイッチング素子Ｑ１及びＱ２の接続点ｒから放電灯５の点灯回路に出力電圧Ｖ１が供給される。Ｄ１及びＤ２は、スイッチング素子Ｑ１及びＱ２に逆並列接続されているダイオードである。図３の回路では、スイッチング素子Ｑ１及びＱ２としてバイポーラトランジスタを用いているが、スイッチング素子Ｑ１及びＱ２がＭＯＳＦＥＴである場合には、ドレイン・ソース間に内蔵された逆方向ダイオードをダイオードＤ１及びＤ２として用いることができる。
【０００５】
図４は、スイッチング回路の出力電圧Ｖ１を示す波形図である。図４において、縦軸は電圧（Ｖ）を、横軸は時間（ｔ）を表している。時刻ｔａでスイッチング素子Ｑ１をオン、スイッチング素子Ｑ２をオフにする。また、時刻ｔｂでスイッチング素子Ｑ２をオン、スイッチング素子Ｑ１をオフにする。さらに、時刻ｔｃで再度スイッチング素子Ｑ１をオン、スイッチング素子Ｑ２をオフにする。
【０００６】
Ｔａは時刻ｔａ〜ｔｂ間のスイッチング素子Ｑ１がオンの時間、Ｔｂは時刻ｔｂ〜ｔｃ間のスイッチング素子Ｑ２がオンの時間で、Ｔ＝Ｔａ＋Ｔｂは周期を示している。すなわち、スイッチング回路の出力電圧Ｖ１（放電灯５の電源電圧）は、周期Ｔの矩形波状の高周波電圧であり、スイッチング素子Ｑ１、Ｑ２のオン・オフ周期Ｔを制御することにより、任意の周波数の高周波電圧が放電灯５に供給される。
【０００７】
放電灯５の点灯回路は、放電灯５と直列に接続される限流用インダクタＬ１のインダクタンスと、予熱用コンデンサＣ１の容量（キャパシタンス）によりＬＣ共振回路を形成し、共振条件により高電圧を発生する。すなわち、限流用インダクタＬ１と予熱用コンデンサＣ１は、高電圧を放電灯５のフィラメントＦ１、Ｆ２間に印加する高電圧発生部として機能している。Ｃ２はカップリングコンデンサである。
【０００８】
放電灯５の始動時に、スイッチング素子Ｑ１およびＱ２を前記制御信号Ｓａ、Ｓｂにより交互にオン、オフすると、スイッチング素子Ｑ１およびＱ２で形成されるスイッチング回路からは、出力電流Ｉｏが放電灯５に供給される。出力電流Ｉｏは、限流用インダクタＬ１、放電灯５のフィラメントＦ１、予熱用コンデンサＣ１、放電灯５のフィラメントＦ２、カップリングコンデンサＣ２の経路で流れて、フィラメントＦ１、Ｆ２を加熱する。この場合には、予熱用コンデンサＣ１に流れる電流がフィラメント電流Ｉｆに相当している。
【０００９】
限流用インダクタＬ１のインダクタンスと予熱用コンデンサＣ１の容量（キャパシタンス）を適宜選定しておくことにより、適宜の共振電圧が発生して放電灯５のフィラメントＦ１、Ｆ２が加熱されて高温になると、フィラメントＦ１、Ｆ２から熱電子が放出され、放電灯５は放電を開始してフィラメントＦ１、Ｆ２間にランプ電流Ｉａが流れる。
【００１０】
なお、図３の回路においては、フィラメントＦ１、Ｆ２間に高電圧を印加するだけでも放電灯５は点灯する。しかしながら、その場合にはフィラメントＦ１、Ｆ２に過大なストレスが加わり、フィラメントＦ１、Ｆ２を破損して放電灯５の寿命が短くなる。このため、上記のようにフィラメント電流ＩｆによりフィラメントＦ１、Ｆ２を予熱して、放電灯５の寿命短縮を防止している。
【００１１】
図２は、放電灯点灯装置の他の例を示す回路図である。図２において、放電灯５の点灯回路には、限流用インダクタＬ１の二次側巻線Ｌ２ａ、Ｌ２ｂを設けている。前記二次側巻線Ｌ２ａは、コンデンサＣａを介して放電灯５のフィラメントＦ１と接続される。また、二次側巻線Ｌ２ｂは、コンデンサＣｂを介して放電灯５のフィラメントＦ２と接続される。前記二次側巻線Ｌ２ａ、コンデンサＣａ、放電灯５のフィラメントＦ１は予熱回路７ａを構成し、二次側巻線Ｌ２ｂ、コンデンサＣｂ、放電灯５のフィラメントＦ２は予熱回路７ｂを構成する。
【００１２】
放電灯５の始動時に、スイッチング素子Ｑ１及びＱ２を前記制御信号Ｓａ、Ｓｂにより交互にオン、オフすると、スイッチング回路からは出力電流Ｉｏが放電灯５に供給される。このときの出力電流Ｉｏは、限流用インダクタＬ１、共振用コンデンサＣ１、カップリングコンデンサＣ２の経路で流れ、図３と同様に高電圧の共振電圧が放電灯５のフィラメントＦ１、Ｆ２間に印加される。
【００１３】
同様に、限流用インダクタＬ１に出力電流Ｉｏが流れることにより、限流用インダクタＬ１の二次側巻線Ｌ２ａに二次電圧が誘起されて、二次側巻線Ｌ２ａ、コンデンサＣａ、フィラメントＦ１、二次側巻線Ｌ２ａの経路でフィラメント電流Ｉｆａが流れ、フィラメントＦ１を加熱する。
【００１４】
同様に、限流用インダクタＬ１の二次側巻線Ｌ２ｂに二次電圧が誘起されて、二次側巻線Ｌ２ｂ、コンデンサＣｂ、フィラメントＦ２、二次側巻線Ｌ２ｂの経路でフィラメント電流Ｉｆｂが流れ、フィラメントＦ２を加熱する。
【００１５】
図２の回路においてもフィラメントＦ１、Ｆ２が高温になると、フィラメントから熱電子が放出され、放電灯５は放電を開始してフィラメントＦ１、Ｆ２間にランプ電流Ｉａが流れる。
【００１６】
ランプ電流Ｉａが増大すると負荷電流Ｉｏも増大する。このように、負荷電流Ｉｏとランプ電流Ｉａとの間には一定の相関関係がある。なお、図２の例においても、図３で説明したようにフィラメントＦ１、Ｆ２間に高電圧を印加するだけでも放電灯５は点灯するが、フィラメント電流Ｉｆａ，ＩｆｂによりフィラメントＦ１、Ｆ２を予熱して放電灯５の寿命短縮を防止している。
【００１７】
ところで図２の回路においては、共振状態で放電灯５が点灯した時には、ランプ電流Ｉａは電源電圧に対して遅れ位相で動作している。すなわち、限流用インダクタＬ１はランプ電流Ｉａに対して限流インピーダンスとして作用する。このため、発振周波数を高くするとランプ電流Ｉａが小さくなり、スイッチング素子Ｑ１及びＱ２のオン・オフ周期を変えることにより、放電灯５の調光制御を行なうことが出来る。
【００１８】
図５は、図２の回路について、スイッチング回路の発振周波数ｆと放電灯５の電流の関係を示す特性図である。Ｉａは放電灯５のランプ電流、Ｉｆはフィラメント電流である。また、ｆａは通常点灯時の発振周波数、ｆｂは調光時の発振周波数、ｆｃは先行予熱時の発振周波数である。ランプ電流Ｉａは、発振周波数ｆに双曲線関数で反比例する特性であり、前記のように発振周波数が高く設定されている調光制御時には小さな値となっている。図５に示されたフィラメント電流Ｉｆの特性は、理想的な周波数特性を示すものであり、発振周波数ｆに対して双曲線関数で増加する特性となっている。
【００１９】
フィラメント電流Ｉｆは、先行予熱時には短時間でフィラメントＦ１、Ｆ２を所定温度に加熱することが求められている。このため、図５に示すように発振周波数ｆが高く設定されている先行予熱時に大きな電流となる特性とすることが必要となる。図５の例では先行予熱時のフィラメント電流は、Ｉｆｐに設定されている。このように、ランプ電流Ｉａとフィラメント電流Ｉｆは、発振周波数ｆに対しては相互に独立して制御されるのが望ましいことになる。
【特許文献１】特開２００３−１２３９９５号公報
【発明の開示】
【発明が解決しようとする課題】
【００２０】
図３で示した回路では、先行予熱時に周波数を適正な値に設定すると大きなフィラメント電流Ｉｆが得られる。しかしながら、点灯時にも過大な電流が流れることで、スイッチング素子の不要な熱ロスを招くとともに、調光点灯制御時のように動作周波数を出力調整のために変化させる時には、適正なフィラメント電流Ｉｆを得ることが難しいという問題があった。
【００２１】
図２で示した回路では、スイッチング回路の出力電流Ｉｏの経路とは異なる経路で、フィラメント電流Ｉｆａ、ＩｆｂをコンデンサＣａ、Ｃｂのリアクタンスにより限流しているため、ランプ電流Ｉａとは異なる周波数特性のフィラメント電流Ｉｆａ、Ｉｆｂを設定することが出来る。しかしながら、ランプ電流Ｉａとフィラメント電流Ｉｆａ、Ｉｆｂの周波数特性の設定には、自由度が限られるという問題があった。
【００２２】
この応用例として、ランプ電流Ｉａとフィラメント電流Ｉｆａ、Ｉｆｂの周波数特性の設定に自由度を持たせるために、フィラメント電流Ｉｆａ、Ｉｆｂに対する限流インピーダンスとしてコンデンサＣａ、Ｃｂのリアクタンスだけでなく、インダクタＬａ、Ｌｂを組み合わせて共振インピーダンスを持たせることで、周波数ｆに対する限流インピーダンスを大きく変化させるという方法が特許文献１などに紹介されている。
【００２３】
しかしながら、フィラメント電流Ｉｆａ、Ｉｆｂの範囲は広く、調光点灯制御を行なうような条件でランプを長寿命化させるために必要な狭い範囲での適正なフィラメント電流の設定を得るには汎用性を持った設計ができないという問題があった。
【００２４】
本発明は、このような問題を解決するためになされたものであり、調光点灯制御する際にもフィラメント電流を適正な範囲で設定できる構成とすることで、ランプの長寿命化を図ることができる放電灯点灯装置を提供することを目的とする。
【課題を解決するための手段】
【００２５】
本発明によれば、上記の課題を解決するために、図１に示すように、高周波電源と、前記高周波電源の出力電圧が供給される放電灯５と、前記放電灯５に直列に接続される第１のインダクタＬ１と前記放電灯５に並列に接続される第１のコンデンサＣ１による共振条件で発生する高電圧を放電灯５のフィラメントＦ１，Ｆ２間に印加する高電圧発生部とを備えた放電灯点灯装置において、前記高周波電源の出力端に接続される変圧器Ｔｒを設け、前記変圧器Ｔｒの二次側巻線と放電灯５の各フィラメントＦ１，Ｆ２間に接続される第２のインダクタＬａ，Ｌｂおよび第２のコンデンサＣａ，Ｃｂからなるフィラメント予熱回路７ａ，７ｂを有することを特徴とするものである。
【発明の効果】
【００２６】
請求項１の発明によれば、高周波電源の出力端に接続される変圧器を設け、前記変圧器の二次側巻線と放電灯のフィラメント間に接続されるインダクタおよび第２のコンデンサからなるフィラメント予熱回路を有する構成としているので、放電灯のランプ電流が変動したときでも、予熱回路の電源電圧を一定にできるので、フィラメントの予熱を安定した状態で行なうことができる。また、予熱回路には、インダクタとコンデンサの直列共振回路が接続されているので、予熱回路の周波数特性の選定は従来例よりも幅を持たせることができ、発振周波数を変えたときのフィラメント電流設定の自由度を大きくとれる。このため、調光制御時や初期予熱時のように発振周波数を大きくして、ランプ電流が小さくなる範囲においても、フィラメント電流を適正に設定することができる。
【００２７】
請求項２の発明によれば、フィラメント予熱回路に流れるフィラメント電流を、前記変圧器の二次側電圧に対して進み位相に設定しているので、先行予熱時のフィラメント電流を大きくとることができ、点灯時には回路ロスにつながるフィラメント電流をより差をつけた状態に設定することが可能になる。例えば、初期予熱時のフィラメント電流を大きな値とし、調光制御時のフィラメント電流を初期予熱時のフィラメント電流の半分程度、通常点灯時のフィラメント電流を極力少なくする、という設定が可能となり、放電灯の動作状況に応じて合理的にフィラメント電流を設定することができる。
【００２８】
請求項３の発明によれば、予熱回路の限流インピーダンスとして用いるインダクタを一体成形することで、同一コア内に磁束が鎖交するためにインダクタ相互間の干渉条件を定量化することが容易になり、予熱回路の小型化が図れるとともに、お互いのインダクタから漏れる磁束による設計値のばらつき範囲を低減することができ、精密なフィラメント電流設計を実現することができる。
【００２９】
請求項４の発明によれば、設定したいフィラメント電流を達成するために必要なインダクタのインダクタンス値が得られるように、各インダクタを一体化した場合に、一定の関係式で置換した値で各巻線の巻数の関係を求めることが可能になる。
【００３０】
請求項５の発明によれば、放電灯の管外形が細管である場合に、ランプの構造上フィラメントとランプ管壁が近いために、ランプがフィラメント断線に至る以前に発生する初期現象である黒化が早期に現れやすく、フィラメント電流の適正範囲はさらに狭い範囲で精度が要求されるため、本発明は細管の放電灯に適用すると有効である。
【発明を実施するための最良の形態】
【００３１】
以下、本発明に係る放電灯点灯装置の実施形態について、図を参照して説明する。図１は本発明に係る放電灯点灯装置の回路図である。なお、図２と同一の部分には同一の符号を付して、重複する説明を省略する。図１において、スイッチング回路の出力側の端子間に、フィラメントトランス（変圧器）Ｔｒと、コンデンサＣｘの直列回路を接続する。コンデンサＣｘは、直流成分をカットする機能を有している。フィラメントトランスＴｒは、フィラメントＦ１、Ｆ２に予熱電流を供給するものである。放電灯５は例えば管外形が２５．５ｍｍ（Ｔ８）以下の細管である。
【００３２】
フィラメントトランスＴｒの二次側巻線Ｔａには、フィラメントＦ１と直列にインダクタＬａとコンデンサＣａを接続し、予熱回路７ａを形成する。また、フィラメントトランスＴｒの二次側巻線Ｔｂには、フィラメントＦ２と直列にインダクタＬｂとコンデンサＣｂを接続し、予熱回路７ｂを形成する。
【００３３】
スイッチング回路の出力電圧Ｖ１が、フィラメントトランスＴｒの一次側巻線に印加されると、二次側巻線Ｔａ，Ｔｂには所定の二次電圧が誘起される。このため、予熱回路７ａには、フィラメント電流Ｉｆａが流れてフィラメントＦ１を加熱する。また、予熱回路７ｂには、同様にフィラメント電流Ｉｆｂが流れてフィラメントＦ２を加熱する。
【００３４】
一方、スイッチング回路の出力電流Ｉｏは、予熱時には限流用インダクタＬ１、共振用コンデンサＣ１、カップリングコンデンサＣ２の経路で流れる。また、放電灯５の点灯時には、スイッチング回路の出力電流Ｉｏは、フィラメントＦ１、Ｆ２間を流れるランプ電流Ｉａと、共振用コンデンサＣ１に流れる電流とに分流する。
【００３５】
このように、図１においては、ランプ電流Ｉａを規定する共振回路の限流用インダクタＬ１、共振用コンデンサＣ１とは、異なる電流経路でフィラメントＦ１，Ｆ２を加熱する予熱回路７ａ、７ｂを形成している。また、各予熱回路７ａ，７ｂにはインダクタＬａ，ＬｂとコンデンサＣａ，Ｃｂの直列共振回路を接続して、予熱回路自体の周波数特性を独立して調整する構成としている。このため、図２の回路と同様に、ランプ電流Ｉａの周波数特性とは別個に、フィラメント電流Ｉｆａ，Ｉｆｂの周波数特性を設定することができる。
【００３６】
本例では、高周波電源の交番周波数を変化させ調光点灯制御を行なう場合に、高周波電源の出力端に並列に接続された変圧器Ｔｒで予熱回路の電源が作り出されるために、フィラメント電流も同時に独立の周波数特性で変化する。よって、調光制御の度合いにより適正なフィラメント電流が異なる場合にでも、自由度をもって設定することが可能である。
【００３７】
図１において、放電灯５に対する電源側のスイッチング回路は、スイッチング素子Ｑ１、Ｑ２によるハーフブリッジのインバータで形成されている。このスイッチング回路の出力電圧Ｖ１は、ハーフブリッジのインバータの中点ｒから取り出されている。このため、フィラメントトランスＴｒの一次側には、放電灯５の負荷状態に拘らず常に一定電圧が印加されることになる。
【００３８】
したがって、放電灯５が予熱状態から点灯状態に変化したときや、点灯後に調光制御する場合のように、負荷電流Ｉｏが変動したとき、すなわち、ランプ電流Ｉａが変動したときでも、予熱回路７ａ、７ｂの電源電圧を一定にできるので、フィラメントの予熱を安定した状態で行なうことができる。また、フィラメントトランスＴｒの二次側巻線Ｔａ、Ｔｂの巻数比を適宜選定することにより、フィラメントＦ１、Ｆ２には任意の大きさの電圧を印加することができる。
【００３９】
予熱回路７ａ、７ｂには、それぞれ、インダクタＬａとコンデンサＣａ、インダクタＬｂとコンデンサＣｂが接続されている。このため、各予熱回路７ａ，７ｂのインピーダンスは、インダクタＬａ，ＬｂのインダクタンスとコンデンサＣａ，Ｃｂのキャパシタンスで規定される。したがって、調光制御時のように広い範囲の発振周波数でも各予熱回路７ａ，７ｂの周波数特性の選定は、図２の従来例よりも幅を持たせることができ、発振周波数を変えたときのフィラメント電流設定の自由度を大きくとれる。
【００４０】
図１の回路構成の場合、通常点灯時の動作周波数ｆａ、調光制御時の動作周波数ｆｂ、初期予熱時の動作周波数ｆｃは、ｆａ＜ｆｂ＜ｆｃの関係となる。したがって、初期予熱時のフィラメント電流を大きな値とし、調光制御時のフィラメント電流を初期予熱時のフィラメント電流の半分程度、通常点灯時のフィラメント電流を極力少なくする、という設定が必要になる。
【００４１】
予熱回路７ａ，７ｂのインダクタＬａ，Ｌｂによるインダクタンスと、コンデンサＣａ，ＣｂによるキャパシタンスとのＬＣ直列共振回路のインピーダンスＺａ，Ｚｂを、使用する周波数範囲において容量性の領域に設定することにより、所望の周波数特性を得ることができる。この時、フィラメント電流Ｉｆａ，Ｉｆｂは、フィラメントトランスＴｒの二次側巻線Ｔａ、Ｔｂから供給される電源電圧に対して進み位相で動作している。
【００４２】
所望の周波数特性が得られる各フィラメントＦ１，Ｆ２のインダクタンスが決まった後に、複数のインダクタを同一のコアに巻き、設計を行なう際の実施例を図６に示す。ここでは、ランプ負荷を等価なフィラメントを持つ２本のランプの直列接続とした場合について説明する。図中、Ｒａは第１のランプの高圧側のフィラメントの抵抗値、Ｒｂは第１のランプと第２のランプの共通側のフィラメントの直列回路の抵抗値、Ｒｃは第２のランプの低圧側（グランド側）のフィラメントの抵抗値である。この場合、２本のランプの共通側のフィラメントは直列に接続されて、インダクタＬｂとコンデンサＣｂを介してフィラメントトランスＴｒの二次側巻線Ｔｂ（電源Ｖｂ）に接続される。また、第１のランプの高圧側のフィラメントはインダクタＬａとコンデンサＣａを介してフィラメントトランスＴｒの二次側巻線Ｔａ（電源Ｖａ）に接続される。さらに、第２のランプの低圧側（グランド側）のフィラメントは、インダクタＬｃとコンデンサＣｃの直列回路を介してフィラメントトランスＴｒの二次側巻線Ｔｃ（電源Ｖｃ）に接続される。
【００４３】
図６（ａ）に示すように、予熱回路を構成する各フィラメントに対する限流インピーダンスとして用いるインダクタンスＬａ，Ｌｂ，Ｌｃは小型化を図る上で、近接した配置とならざるをえない。この場合に、各インダクタに電流が流れた時に発生する磁束が他のインダクタに相互間で影響を与えることとなるため、設計は複雑なものとなる。内鉄型のインダクタ（ドラムチョーク）を使用した場合には、その影響は顕著なものである。しかしながら、空間を介した漏れ磁束の影響を定量化し、定数の設計に盛り込むことは容易ではない。そこで、図６（ｂ）に示すように、複数のインダクタを同一のコアに巻き、設計を行なう。
【００４４】
前記フィラメント予熱回路の各フィラメントの抵抗値をＲａ、Ｒｂ及びＲｃとして、各々のフィラメントに接続された複数のインダクタのインダクタンス値をＬａ、Ｌｂ及びＬｃとした時に、Ｌａ＝Ｌｃ、Ｒａ＝Ｒｃ＝Ｒｂ／２という関係になることから、各フィラメントに流れる電流Ｉｆａ、Ｉｆｂ及びＩｆｃの値を、Ｉｆａ＝Ｉｆｂ＝Ｉｆｃという条件とするためには、フィラメント予熱回路の複数のインダクタのインダクタンス値をＬａ’、Ｌｂ’及びＬｃ’とした時に、巻数をＮａ、Ｎｂ及びＮｃとすると、Ｎａ＝Ｎｃ、Ｌａ：Ｌｂ＝Ｎａ：Ｎｂ、Ｌａ’＝Ｌａ2 ／（２Ｌａ＋Ｌｂ）、Ｌｂ’＝（Ｎｂ／Ｎａ）2 ・Ｌａ’、Ｌｃ’＝（Ｎｃ／Ｎａ）2 ・Ｌａ’となる。つまり、インダクタのインダクタンス値Ｌａ、Ｌｂより、同一のコアに巻く際の巻数比が決まり、上式の関係のＬａ’，Ｌｂ’となるように巻数を調整することとなる。図６（ｂ）のように、インダクタを１個のボビンに巻いて、１個のコア上に構成すると、図６（ａ）のように、予熱回路の各インダクタＬａ，Ｌｂ，Ｌｃを個別に構成する場合に比べて小型化が可能となる。
【産業上の利用可能性】
【００４５】
本発明はオフィスや一般家庭用の照明器具に利用できる。
【図面の簡単な説明】
【００４６】
【図１】本発明に係る放電灯点灯装置の回路図である。
【図２】従来例１の放電灯点灯装置の回路図である。
【図３】従来例２の放電灯点灯装置の回路図である。
【図４】インバータ回路の出力端に得られる高周波電圧を示す波形図である。
【図５】ランプ電流およびフィラメント電流と、発振周波数との関係を示す特性図である。
【図６】フィラメント予熱回路のインダクタを一体化する場合の回路図である。
【符号の説明】
【００４７】
１      交流電源
２      整流回路
３      平滑インダクタ
４      平滑コンデンサ
５      放電灯
６      制御回路
７ａ、７ｂ  予熱回路
Ｆ１、Ｆ２  フィラメント
Ｑ１、Ｑ２  スイッチング素子
Ｄ１、Ｄ２  ダイオード
Ｌ１        限流用インダクタ
Ｃ１        共振用コンデンサ
Ｔｒ        フィラメントトランス
Ｔａ、Ｔｂ  フィラメントトランスの二次側巻線
Ｌａ、Ｌｂ  予熱回路のインダクタ
Ｃａ、Ｃｂ  予熱回路のコンデンサ
【図１】
2005050754.tif 000003
【図２】
2005050754.tif 000004
【図３】
2005050754.tif 000005
【図４】
2005050754.tif 000006
【図５】
2005050754.tif 000007
【図６】
2005050754.tif 000008